(57)【特許請求の範囲】
【請求項１】
内部に前照灯として機能する第１の光源およびレンズを備えた前照灯と、
前照灯のレンズ面の周囲を覆うように設けられた周囲反射面と、
前記周囲反射面の外周のうち少なくとも一部に沿って延在し、その内面に第２の光源が設けられている外周反射面と、
前記外周反射面と周囲反射面との境界の少なくとも一部に前記第２の光源からの光を前記周囲反射面へと透過させる透過部と、を有し、
前記外周反射面及び前記周囲反射面が、
所定の光軸方向に前記第２の光源からの光を反射する車両用灯具。
【請求項２】
前記外周反射面が、
前記周囲反射面の外周を囲繞するように延在する、請求項１に記載の車両用灯具。
【請求項３】
前記外周反射面からの発光が、
デイタイムランニングランプとして機能する、請求項１または２に記載の車両用灯具。
【請求項４】
前記外周反射面からの発光が車幅灯として機能する、請求項１または２に記載の車両用灯具。
【発明の詳細な説明】
【技術分野】
【０００１】
本発明は車両用灯具に関する。
【背景技術】
【０００２】
従来、昼間常時点灯を行なうための前照灯とは別の車両用灯具として、いわゆるデイタイムランニングランプと称される灯具が知られている。
【０００３】
このようなデイタイムランニングランプを備えた車両用灯具として、メインランプ（ヘッドランプ）とは別のランプ（サブランプ）の一つとして備えたもの（例えば、特許文献１参照）が知られている。
【特許文献１】特開２００５−８８８５６号公報
【発明の開示】
【発明が解決しようとする課題】
【０００４】
しかしながら、これら従来のデイタイムランニングランプを備えた車両用灯具は、以下のような問題があった。
【０００５】
すなわち、従来の車両用灯具のようにヘッドランプとは離れた位置に個別の灯具としてデイタイムランニングランプを備えようとする場合には、車両における灯具の配置スペースとして与えられた限られた空間に配置することが困難であった。
【０００６】
具体的には、将来的にデイタイムランニングランプの装備が義務付けられた場合には、AFS（Adaptive Front-Lighting System）用の可動式灯具を取り付けるスペースを設けること、前照灯を走行用ビームとすれ違い配光用とで分ける４灯式前照灯とすることなどが困難になることが予想される。
【０００７】
特に、世界各国に供給される車両において、車両用灯具のハウジングや外観（エクステンションなど）を共通の部品とした場合、必要な灯具に合わせて灯具取り付け箇所を予め設定する必要がある。その結果、デイタイムランニングランプの義務化が進めば上記スペースの問題がさらに顕著になることが予想される。
【０００８】
本発明は、以上の問題に鑑みなされたものであり、本発明は、限られた灯具配置スペースを有効に利用してデイタイムランニングランプを含む各種灯具を配置することが可能な車両用灯具を提供することをその課題とする。
【課題を解決するための手段】
【０００９】
上記課題を解決するために、本発明は以下の手段とした。
すなわち、本発明は、内部に前照灯として機能する第１の光源およびレンズを備えた前照灯と、前照灯のレンズ面の周囲を覆うように設けられた周囲反射面と、前記周囲反射面の外周のうち少なくとも一部に沿って延在し、その内面に第２の光源が設けられている外周反射面と、前記外周反射面と周囲反射面との境界の少なくとも一部に前記第２の光源からの光を前記周囲反射面へと透過させる透過部と、を有し、前記外周反射面及び前記周囲反射面が、所定の光軸方向に前記第２の光源からの光を反射する車両用灯具である。
【００１０】
本発明は、例えばデイタイムランニングランプや車幅灯として機能する灯具を、従来有効に利用できなかった前照灯の周囲に配置する。
【００１１】
これにより、本発明は、限られた灯具配置スペースを有効に利用してデイタイムランニングランプを含む各種灯具を配置することが可能な車両用灯具を提供することができる。
【００１２】
また、本発明は、外周反射面にある光源の光を利用して前照灯の周囲にある周囲反射面を発光させる。
【００１３】
これにより、本発明は、従来であれば有効に利用できなかった光を用いて、これまでにない新規な見栄えを効率よく提供することが可能となる。
【発明の効果】
【００１４】
本発明の車両用灯具によれば、限られた灯具配置スペースを有効に利用してデイタイムランニングランプを含む各種灯具を配置することが可能な車両用灯具を提供する、という優れた効果を奏し得る。
【発明を実施するための最良の形態】
【００１５】
以下、本発明の一実施の形態について添付図面を参照して説明する。
［第一の実施の形態］
図１は、本発明の第一の実施の形態にかかる車両用灯具を正面方向（灯具の照射方向に正対する方向）から見た図である。また、図２は、図１の車両用灯具の横断面図である。
【００１６】
本実施の形態にかかる車両用灯具１は、走行用ビームまたはすれ違い用ビームを形成する前照灯１０と、常時発光して他車からの被視認性を確保するデイタイムランニングランプ２０と、前照灯１０のレンズ面の周囲に設けられる周囲発光部３０とを有する。
【００１７】
前照灯１０は、本実施の形態ではプロジェクタ型の前照灯を用いている。前照灯１０は、例えばHIDやハロゲンバルブあるいはLEDなどの光源１１、第一焦点近傍にある光源１１の光を第二焦点に反射する楕円系反射面１２、楕円系反射面１２からの光を投影する凸レンズからなるレンズ１３を有する。なお、本発明において、前照灯は本実施の形態のプロジェクタ型に限定されず、光源近傍を焦点として放物面系の反射面で照射する反射型の前照灯であってもよい。
【００１８】
デイタイムランニングランプ２０は、前照灯１０のレンズ１３のレンズ面を囲む周囲発光部３０の少なくとも一部に沿うように配置された反射面２１（本発明の外周反射面に相当）に光源２２，２３が取り付けられている。そして、デイタイムランニングランプ２０は、光源２２，２３が発光することによりその直射光と反射面２１からの反射光がアウターレンズ２４を透過して、予め定められた灯具の照射方向（車両の前方）に照射される。これにより、デイタイムランニングランプ２０は、他の車両などからの被視認性を向上させることができる。
【００１９】
なお、本実施の形態において、前照灯１０の周囲にはデイタイムランニングランプ２０を配置しているが、この部分を車幅灯として用いることも可能である。
【００２０】
周囲発光部３０は、前照灯１０のレンズ１３の外周を囲むように設けられている。周囲発光部３０は、デイタイムランニングランプ２０との間に光源２２，２３の光が通過する透過部３１、この透過部３１を透過した光源２２，２３の光を車両の前方に反射する反射面３２（本発明の周囲反射面に相当）、反射面３２を覆うアウターレンズ３３を有する。
【００２１】
透過部３１は、上述の通りデイタイムランニングランプ２０の光源２２，２３を反射面３２に透過する(図２参照)ものであるが、例えば透過穴のようなものや、あるいは各種導光部材を充填させたものであってもよい。
【００２２】
反射面３２は、上述の通り透過部３１を透過した光を、図２にある矢印のように車両の前方へ光を反射する。
【００２３】
以上のような構成により、車両用灯具１は、車両における限られた灯具配置スペースにおいて、前照灯とデイタイムランニングランプとを一体で配置することが可能となる。このため、車両用灯具１では、不図示のスペースに例えばAFS用の可変配光を形成できる灯具や、あるいは、前照灯１０を走行用ビームまたはすれ違い用ビームのみの灯具として他方の配光用の前照灯を配置して４灯式のヘッドランプとすることも可能となる。
【００２４】
また、周囲発光部３０は、固有の光源を設けることなく前照灯１０の周囲を広範に発光させることができるため、これまでにない新規な見栄えを効率よく提供することが可能となる。
【００２５】
［第二の実施の形態］
本発明の第二の実施の形態について説明する。なお、第二の実施の形態については、上述の第一の実施の形態と異なる箇所についてのみ説明する。
【００２６】
図３は、第二の実施の形態にかかる車両用灯具２の正面図である。第一の実施の形態の車両用灯具１ではデイタイムランニングランプ２０の反射面２１が前照灯１０の下方にのみ延在していたのに対し、第二の実施の形態の車両用灯具２では前照灯１０の周囲を囲繞するように（周囲発光部３０の外周を囲繞するように）形成されている。
【００２７】
また、デイタイムランニングランプの光源２２，２３は、反射面２１の前照灯上側反射面２１ａと前照灯下側反射面２１ｂとに設けられている。そして、透過部３１（不図示）は、周囲発光部３０の反射面３２に光を透過するように、光源２２，２３の位置に対応して設けられている。
【００２８】
以上のように構成することにより、車両用灯具２は、第一の実施の形態にかかる車両用灯具１と比較して、デイタイムランニングランプ２０の光源２２，２３の光を効率よく反射面３２全体を発光させることができる。
【００２９】
［その他の実施の形態］
本発明の車両用灯具は、以上説明した第一及び第二の実施の形態の車両用灯具以外にも、例えば以下のような車両用灯具であってもよい。
【００３０】
図４は、本発明の車両用灯具の一例を示す正面図である。この車両用灯具３は、前照灯１０の周囲にデイタイムランニングランプ２０を配置している。デイタイムランニングランプ２０は、例えば光源２２，２３を２つ配置し、前照灯１０の周囲を囲むように形成された反射面とカバーレンズ２４を介して車両の前方に光を照射する。
【００３１】
尚、本発明の車両用灯具は、上記した実施の形態に限定されるものではなく、本発明の要旨を逸脱しない範囲内において種々変更を加え得ることは勿論である。
【図面の簡単な説明】
【００３２】
【図１】本発明の第一の実施の形態にかかる車両用灯具を正面方向（灯具の照射方向に正対する方向）から見た図である。
【図２】図１の車両用灯具の横断面図である。
【図３】第二の実施の形態にかかる車両用灯具の正面図である。
【図４】本発明の車両用灯具の一例を示す正面図である。
【符号の説明】
【００３３】
１    車両用灯具
１０    前照灯
１１    光源
１２    楕円系反射面
１３    レンズ
２０    デイタイムランニングランプ
２１    反射面
２２，２３    光源
２４    アウターレンズ
３０    周囲発光部
３１    透過部
３２    反射面
３３    アウターレンズ
【図１】
0005030284.tif 000002
【図２】
0005030284.tif 000003
【図３】
0005030284.tif 000004
【図４】
0005030284.tif 000005